(57)【要約】  記録メディアに格納されている読影レポート情報の表示動作を規制する。  データ管理サーバ１０は、記憶装置１５に格納された読影レポート情報のうち選択された読影レポート情報、当該選択された読影レポート情報に対応する医用画像情報、及び、当該選択された読影レポート情報及び医用画像情報が保存されている保存先のネットワーク上のアドレス情報をメディアに電子的に書き込むとともに、表示動作規制処理プログラムを書き込む。クライアント端末２０では、メディアに書き込まれた表示動作規制処理プログラムに従って、メディアに格納されている読影レポート情報の表示動作を規制する処理を行う。例えば、検査日から表示可能期間を経過した読影レポート情報を破壊する。表示可能期間の経過後は、アドレスを選択することにより、ネットワークＮを介して、記憶装置１５に保存されている読影レポート情報にアクセスすることができる。
2009020057.tif 000002
【特許請求の範囲】
【請求項１】
医用画像情報の読影レポート情報と、当該読影レポート情報が保存されている保存先のネットワーク上のアドレス情報と、予め設定された基準時から予め設定された表示可能期間を経過した後に前記読影レポート情報の表示動作を規制する表示動作規制処理プログラムと、を記録メディアに電子的に書き込む書き込み手段を備えたことを特徴とする医用情報提供装置。
【請求項２】
前記基準時は、前記医用画像情報の検査日であることを特徴とする請求項１に記載の医用情報提供装置。
【請求項３】
前記基準時は、前記読影レポート情報の前記記録メディアへの書き込み日であることを特徴とする請求項１に記載の医用情報提供装置。
【請求項４】
前記基準時は、前記読影レポート情報の承認日時であることを特徴とする請求項１に記載の医用情報提供装置。
【請求項５】
前記読影レポート情報の表示動作の規制は、前記読影レポート情報に対して予め定められたデータを上書きし、前記読影レポート情報を破壊することにより行うことを特徴とする請求項１〜４のいずれか一項に記載の医用情報提供装置。
【請求項６】
医用画像情報の読影レポート情報と、当該読影レポート情報が保存されている保存先のネットワーク上のアドレス情報と、予め設定された基準時から予め設定された表示可能期間を経過した後に前記読影レポート情報の表示動作を規制する表示動作規制処理プログラムと、を記録メディアに電子的に書き込む書き込み手段を備えた医用情報提供装置と、
前記医用情報提供装置とネットワークを介して接続され、前記記録メディアに書き込まれた表示動作規制処理プログラムに従って前記記録メディアに格納されている読影レポート情報の表示動作を規制する処理を行う制御手段、及び、前記記録メディアに書き込まれたアドレス情報に基づいて前記読影レポート情報の保存先にアクセスするアクセス手段を備えた端末装置と、
を備えたことを特徴とする医用情報提供システム。
【請求項７】
前記基準時は、前記医用画像情報の検査日であることを特徴とする請求項６に記載の医用情報提供システム。
【請求項８】
前記基準時は、前記読影レポート情報の前記記録メディアへの書き込み日であることを特徴とする請求項６に記載の医用情報提供システム。
【請求項９】
前記基準時は、前記読影レポート情報の承認日時であることを特徴とする請求項６に記載の医用情報提供システム。
【請求項１０】
前記読影レポート情報の表示動作の規制は、前記読影レポート情報に対して予め定められたデータを上書きし、前記読影レポート情報を破壊することにより行うことを特徴とする請求項６〜９のいずれか一項に記載の医用情報提供システム。
【請求項１１】
コンピュータを、
医用画像情報の読影レポート情報と、当該読影レポート情報が保存されている保存先のネットワーク上のアドレス情報と、予め設定された基準時から予め設定された表示可能期間を経過した後に前記読影レポート情報の表示動作を規制する表示動作規制処理プログラムと、を記録メディアに電子的に書き込む書き込み手段として機能させるためのプログラム。
【請求項１２】
前記基準時は、前記医用画像情報の検査日であることを特徴とする請求項１１に記載のプログラム。
【請求項１３】
前記基準時は、前記医用画像情報の前記記録メディアへの書き込み日であることを特徴とする請求項１１に記載のプログラム。
【請求項１４】
前記基準時は、前記読影レポート情報の承認日時であることを特徴とする請求項１１に記載のプログラム。
【請求項１５】
前記読影レポート情報の表示動作の規制は、前記読影レポート情報に対して予め定められたデータを上書きし、前記読影レポート情報を破壊することにより行うことを特徴とする請求項１１〜１４のいずれか一項に記載のプログラム。
【発明の詳細な説明】
【技術分野】
【０００１】
本発明は、医用画像情報を提供する医用情報提供装置、医用情報提供システム及びプログラムに関する。
【背景技術】
【０００２】
医療の分野では、患者を撮影した医用画像のデジタル化が実現されている。デジタル化は、ＣＲ（Computed Radiography）装置、ＣＴ（Computed Tomography）装置、ＭＲＩ（Magnetic Resonance Imaging）装置等の画像生成装置、カセッテ読み取り装置等の各種モダリティにより行われる。デジタル化された医用画像は、患者の患者情報や検査情報等とともに管理サーバにより一元的に管理される。具体的には、医用画像とＤＩＣＯＭ（Digital Imaging and Communications in Medicine）規格に適合するＤＩＣＯＭ基本情報とが管理サーバのデータベースに登録され、管理される医用画像管理システム（以下、ＰＡＣＳ（Picture Archiving and Communication System）という。）が用いられている。【０００３】
また、一般的なコンピュータネットワークシステムにおいて、ファイルデータの最新のアクセス日時から現在までの経過時間を求め、経過時間が保存期間を超えている場合には、このファイルデータを消去するファイルシステム管理装置が提案されている（特許文献１参照）。これにより、古いファイルデータを自動的に消去することができる。【０００４】
また、ＰＡＣＳで管理される医用画像を他のシステムや一般患者へ提供する方法として、ネットワークによる提供とは別に、ＩＨＥ（Integrating the Healthcare Enterprise）におけるＰＤＩ（Portable Data for Imaging）に対応した記録メディアによる提供も行われている。これは、医用画像情報をＣＤ−Ｒ（Compact Disk Recordable）やＤＶＤ−Ｒ（Digital Versatile Disk Recordable）等の記録メディアに保存し、記録メディアを搬送することによりデータの移送を行うものである。記録メディアには、医用画像情報とともに医用画像情報に対して行われた読影レポートの情報を保存することができる。
【特許文献１】特開平５−１６５６８５号公報
【発明の開示】
【発明が解決しようとする課題】
【０００５】
記録メディアに保存された医用画像情報や読影レポートは、いつまでも閲覧可能である。しかしながら、撮影から長期間経過した医用画像情報についての読影レポートがいつまでも閲覧可能であると、診断の際にその読影レポートが使用され、患者の病状の変化が誤認識されることにつながる。また、何度も検査を行い、撮影した医用画像情報の読影レポートを記録メディアにて運搬する際、古いデータがそのまま使用可能な場合には、間違って古いデータを最新のデータとして他のシステムに取り込んでしまう可能性があった。このように、記録メディアによる読影レポートの提供は、その後のデータの管理が問題となる。【０００６】
本発明は、上記の従来技術における問題に鑑みてなされたものであって、記録メディアに格納されている読影レポートの表示動作を規制することを課題とする。
【課題を解決するための手段】
【０００７】
以上の課題を解決するために、本発明の第１の側面によれば、医用情報提供装置は、
医用画像情報の読影レポート情報と、当該読影レポート情報が保存されている保存先のネットワーク上のアドレス情報と、予め設定された基準時から予め設定された表示可能期間を経過した後に前記読影レポート情報の表示動作を規制する表示動作規制処理プログラムと、を記録メディアに電子的に書き込む書き込み手段を備えたことを特徴としている。【０００８】
本発明の第２の側面によれば、医用情報提供システムは、
医用画像情報の読影レポート情報と、当該読影レポート情報が保存されている保存先のネットワーク上のアドレス情報と、予め設定された基準時から予め設定された表示可能期間を経過した後に前記読影レポート情報の表示動作を規制する表示動作規制処理プログラムと、を記録メディアに電子的に書き込む書き込み手段を備えた医用情報提供装置と、
前記医用情報提供装置とネットワークを介して接続され、前記記録メディアに書き込まれた表示動作規制処理プログラムに従って前記記録メディアに格納されている読影レポート情報の表示動作を規制する処理を行う制御手段、及び、前記記録メディアに書き込まれたアドレス情報に基づいて前記読影レポート情報の保存先にアクセスするアクセス手段を備えた端末装置と、
を備えたことを特徴としている。【０００９】
本発明の第３の側面によれば、
コンピュータを、
医用画像情報の読影レポート情報と、当該読影レポート情報が保存されている保存先のネットワーク上のアドレス情報と、予め設定された基準時から予め設定された表示可能期間を経過した後に前記読影レポート情報の表示動作を規制する表示動作規制処理プログラムと、を記録メディアに電子的に書き込む書き込み手段として機能させるためのプログラムであることを特徴としている。【００１０】
前記基準時は、前記医用画像情報の検査日であることが好ましい。【００１１】
前記基準時は、前記医用画像情報の前記記録メディアへの書き込み日であることが好ましい。【００１２】
前記基準時は、前記読影レポート情報の承認日時であることが好ましい。【００１３】
前記読影レポート情報の表示動作の規制は、前記読影レポート情報に対して予め定められたデータを上書きし、前記読影レポート情報を破壊することにより行うことが好ましい。
【発明の効果】
【００１４】
本発明によれば、記録メディアの読み取り装置において、記録メディアに格納されている読影レポート情報の表示動作を規制することができる。したがって、表示可能期間を経過した読影レポート情報に基づいて誤った診断を行うことを防止することができる。【００１５】
また、医用画像情報の検査日から予め設定された表示可能期間を経過した後にその医用画像情報の読影レポート情報の表示動作を規制する表示動作規制処理プログラムを記録メディアに電子的に書き込んでおくことで、医用画像情報の検査日から表示可能期間を経過した読影レポート情報については、読影レポート情報の表示動作を規制することができる。  【００１６】
また、読影レポート情報の記録メディアへの書き込み日から予め設定された表示可能期間を経過した後にその読影レポート情報の表示動作を規制する表示動作規制処理プログラムを記録メディアに電子的に書き込んでおくことで、記録メディアへの書き込み日から表示可能期間を経過した読影レポート情報については、読影レポート情報の表示動作を規制することができる。 【００１７】
また、読影レポート情報の承認日時から予め設定された表示可能期間を経過した後にその読影レポート情報の表示動作を規制する表示動作規制処理プログラムを記録メディアに電子的に書き込んでおくことで、読影レポートの承認日時から表示可能期間を経過した読影レポート情報については、読影レポート情報の表示動作を規制することができる。【００１８】
また、読影レポート情報に対して予め定められたデータを上書きし、読影レポート情報を破壊することによって読影レポート情報の表示動作を規制することができる。
【図面の簡単な説明】
【００１９】
【図１】本発明の第１の実施の形態における医用情報提供システムのシステム構成図である。
【図２】図１のデータ管理サーバの機能的構成を示すブロック図である。
【図３】図１のクライアント端末の機能的構成を示すブロック図である。
【図４】図２のＣＰＵにより実行されるメディア書き込み処理を示すフローチャートである。
【図５】図３のＣＰＵにより実行される第１の表示動作規制処理を示すフローチャートである。
【図６】図３のＣＰＵにより実行される第２の表示動作規制処理を示すフローチャートである。
【図７】図３のＣＰＵにより実行される第３の表示動作規制処理を示すフローチャートである。
【発明を実施するための最良の形態】
【００２０】
［第１の実施の形態］
まず、図１〜図７を参照して、本発明の第１の実施の形態における医用情報提供システム１００について説明する。
図１は、医用情報提供システム１００のシステム構成図である。
図１に示すように、医用情報提供システム１００は、データ管理サーバ１０、クライアント端末２０から構成され、各装置は、ＬＡＮ（Local Area Network）やＷＡＮ（Wide Area Network）等の通信回線からなるネットワークＮを介して接続されている。データ管理サーバ１０は、病院Ａ内に設置されており、記憶装置１５を備えている。病院Ａ内の通信方式としては、ＤＩＣＯＭ規格が用いられている。【００２１】
データ管理サーバ１０は、病院Ａにおいて生成された医用画像情報、患者情報、検査情報、読影レポート情報等を保存・管理する装置であり、ＰＤＩに対応した記録メディア（以下、メディアという。）に対し、読影レポート情報及び医用画像情報等を書き込む医用情報提供装置である。【００２２】
図２に、データ管理サーバ１０の機能的構成を示す。
図２に示すように、データ管理サーバ１０は、ＣＰＵ（Central Processing Unit）１１、操作部１２、表示部１３、通信部１４、記憶装置１５、ＲＯＭ（Read Only Memory）１６、ＲＡＭ（Random Access Memory）１７、メディア書き込み部１８等を備えて構成され、各部はバス１９により接続されている。【００２３】
ＣＰＵ１１は、ＲＯＭ１６に記憶されているシステムプログラムや各種処理プログラムを読み出し、ＲＡＭ１７内に形成されたワークエリアに展開し、該プログラムに従って各部を制御する。【００２４】
操作部１２は、カーソルキー、数字入力キー、及び各種機能キー等を備えたキーボードと、マウス等のポインティングデバイスを備えて構成され、キーボードに対するキー操作やマウス操作により入力された指示信号をＣＰＵ１１に出力する。【００２５】
表示部１３は、ＬＣＤ（Liquid Crystal Display）やＣＲＴ（Cathode Ray Tube）等のモニタにより構成され、ＣＰＵ１１から入力される表示信号の指示に従って、操作部１２からの入力指示やデータ等を表示する。【００２６】
通信部１４は、ＬＡＮアダプタ、ルータ、ＴＡ（Terminal Adapter）等を備え、ネットワークＮに接続された各装置とデータの送受信を行う。【００２７】
記憶装置１５は、ハードディスク等の記憶装置であり、病院Ａにおいて、各種モダリティにより生成された医用画像情報、各医用画像情報に対応する患者情報や検査情報等の画像関連情報、読影レポート情報等を保存する。
本実施の形態において、医用画像情報及び読影レポート情報は、患者毎のフォルダにより分類されて保存されている。即ち、患者毎のフォルダには、その患者の新旧の医用画像情報及び読影レポート情報が蓄積保存されており、或る患者のフォルダにアクセスすることにより、その患者の新旧の医用画像情報や読影レポート情報を取得することができるようになっている。【００２８】
医用画像情報は、ＤＩＣＯＭ規格に則った画像ファイル形式で保存される。画像ファイルのヘッダ情報には、当該医用画像情報に対応する画像関連情報が含まれる。画像関連情報の患者情報は、患者ＩＤ、患者氏名、年齢、性別等の、患者に関する情報である。検査情報は、例えば、検査ＩＤ、検査日、検査部位等の、検査に関する情報である。その他、画像関連情報には、医用画像情報を一意に特定するための画像識別情報、例えば、ＳＯＰ（Service Object Pair）インスタンスＵＩＤ等が含まれる。ＳＯＰインスタンスＵＩＤは、撮影したモダリティのメーカー、機種、機器毎の値（シリアルナンバー等）及び撮影日時等から生成される値であり、画像毎に異なる値が付与されている。【００２９】
読影レポート情報は、医師が医用画像情報を読影して作成した所見（コメント）を示す情報（テキストデータ等）である。読影レポート情報は、実データと当該読影レポートに関する付属情報とを含むファイルとして保存される。付属情報は、例えば、当該読影レポートに対応する医用画像情報のＳＯＰインスタンスＵＩＤ、読影日時、承認日時（読影した医師より上位の読影医により承認された日時）等を含む。【００３０】
また、記憶装置１５は、データ管理サーバ１０へのアクセスを許可されたユーザの認証情報（ユーザＩＤ、パスワード、アクセス権限）を記憶する。
更に、記憶装置１５は、後述するメディア書き込み処理において登録されたメディアＩＤ及びユーザＩＤを対応付けて記憶する。【００３１】
ＲＯＭ１６は、不揮発性の半導体メモリ等により構成され、ＣＰＵ１１で実行されるシステムプログラム、メディア書き込み処理プログラムを始めとする各種処理プログラム、各種データ等を記憶する。これらの各種プログラムは、読み取り可能なプログラムコードの形態で格納され、ＣＰＵ１１は、当該プログラムコードに従った動作を逐次実行する。【００３２】
ＲＡＭ１７は、ＣＰＵ１１により実行制御される各種処理において、ＲＯＭ１６から読み出された各種プログラム、入力若しくは出力データ、及びパラメータ等を一時的に記憶する記憶領域を形成する。【００３３】
書き込み手段としてのメディア書き込み部１８は、メディアに対して、記憶装置１５に保存されている読影レポート情報の中から選択された読影レポート情報と、当該読影レポート情報に対応する医用画像情報と、当該読影レポート情報及び医用画像情報が保存されている保存先のネットワーク上のアドレス情報とを電子的に書き込むとともに、表示動作規制処理プログラムを電子的に書き込む。医用画像情報はＰＤＩにおけるＤＣＭファイルとして書き込まれ、読影レポート情報、アドレス情報及び表示動作規制処理プログラムはＯｔｈｅｒファイルとして書き込まれる。メディアとしては、ＣＤ−ＲやＤＶＤ−Ｒ等が用いられる。【００３４】
ここで、表示動作規制処理プログラムは、メディアの読み取り装置であるクライアント端末２０を、医用画像情報の検査日から予め設定された表示可能期間を経過した後はメディアに格納されている読影レポート情報の表示動作を規制する手段として機能させるためのプログラムである。また、読影レポート情報の表示動作の規制は、読影レポート情報の実データを予め定められたデータで上書きして読影レポート情報を破壊することにより行う。【００３５】
クライアント端末２０は、他の病院や病院Ａ内の他の部門の医師が医用画像を読影する際に用いるＰＣ（Personal Computer）、患者自身の自宅等に設置された一般のＰＣ等により構成される。【００３６】
図３に、クライアント端末２０の機能的構成を示す。
図３に示すように、クライアント端末２０は、ＣＰＵ２１、操作部２２、表示部２３、通信部２４、ＲＯＭ２５、ＲＡＭ２６、メディアドライブ２７等を備えて構成され、各部はバス２８により接続されている。【００３７】
ＣＰＵ２１は、ＲＯＭ２５に記憶されているシステムプログラムや各種処理プログラムを読み出し、ＲＡＭ２６内に形成されたワークエリアに展開し、該プログラムに従って各部を制御する。また、ＣＰＵ２１は、メディアに記憶されている表示動作規制処理プログラムを読み出し、ＲＡＭ２６内に形成されたワークエリアに展開し、表示動作規制処理プログラムに従って、メディアに格納されている読影レポート情報の表示動作を規制する処理を行い、制御手段を実現する。【００３８】
操作部２２は、カーソルキー、数字入力キー、及び各種機能キー等を備えたキーボードと、マウス等のポインティングデバイスを備えて構成され、キーボードに対するキー操作やマウス操作により入力された指示信号をＣＰＵ２１に出力する。【００３９】
表示部２３は、ＬＣＤやＣＲＴ等のモニタにより構成され、ＣＰＵ２１から入力される表示信号の指示に従って、操作部２２からの入力指示やデータ等を表示する。【００４０】
通信部２４は、ＬＡＮアダプタ、ルータ、ＴＡ等を備え、ネットワークＮに接続された各装置とデータの送受信を行う。【００４１】
ＲＯＭ２５は、不揮発性の半導体メモリ等により構成され、ＣＰＵ２１で実行されるシステムプログラムや各種処理プログラム、各種データ等を記憶する。これらの各種プログラムは、読み取り可能なプログラムコードの形態で格納され、ＣＰＵ２１は、当該プログラムコードに従った動作を逐次実行する。【００４２】
ＲＡＭ２６は、ＣＰＵ２１により実行制御される各種処理において、ＲＯＭ２５又はメディアから読み出された各種プログラム、入力若しくは出力データ、及びパラメータ等を一時的に記憶する記憶領域を形成する。【００４３】
メディアドライブ２７は、メディアからのデータの読み取りや、メディアに対するデータの書き込みを行う。具体的には、メディアドライブ２７は、メディアに書き込まれている読影レポート情報及びその読影レポート情報に対応する医用画像情報が保存されている保存先のネットワーク上のアドレス情報、表示動作規制処理プログラムを読み取る。また、メディアドライブ２７は、第１の表示動作規制処理時に、対象となる読影レポート情報の実データを予め定められたデータで上書きし、読影レポート情報を破壊する。【００４４】
ＣＰＵ２１は、メディアドライブ２７により読み取られたアドレス情報に基づいて、ネットワークＮを介して医用画像情報の保存先にアクセスする。【００４５】
次に、動作について説明する。
図４は、データ管理サーバ１０において実行されるメディア書き込み処理を示すフローチャートである。メディア書き込み処理は、ＣＰＵ１１と、ＲＯＭ１６に記憶されたメディア書き込み処理プログラムとの協働によるソフトウェア処理によって実行される。【００４６】
まず、操作部１２からの操作指示により、記憶装置１５に保存されている読影レポート情報の中から、書き込み対象となる読影レポート情報が選択されると（ステップＳ１）、記憶装置１５の選択された読影レポート情報及び当該選択された読影レポート情報に対応する医用画像情報が保存されているフォルダにリモートアクセスするためのアドレス情報が生成される（ステップＳ２）。【００４７】
次いで、操作部１２により他の読影レポート情報が選択されると（ステップＳ３；Ｙｅｓ）、ステップＳ２に戻り、ステップＳ２〜ステップＳ３の処理が繰り返される。ステップＳ３において他の読影レポート情報が選択されない場合には（ステップＳ３；Ｎｏ）、選択された各読影レポート情報の付属情報にメディアへの書き込み日（当日の日付）が書き込まれるとともに（ステップＳ４）、メディア書き込み部１８により、選択された読影レポート情報、選択された読影レポート情報に対応する医用画像情報、及び生成されたアドレス情報が対応付けられてメディアに書き込まれ（ステップＳ５）、さらに、表示動作規制処理プログラムが書き込まれる（ステップＳ６）。【００４８】
次いで、選択された読影レポート情報及びこれに対応する医用画像情報が保存されているフォルダへのアクセスを許可するユーザ（読影医）のユーザＩＤの入力画面が表示部１３に表示され、操作部１２によりユーザＩＤが入力されると（ステップＳ７）、当該メディアを特定するメディアＩＤ（予めメディアに付与されているシリアル番号等）とステップＳ７で入力されたユーザＩＤとが対応付けられて記憶装置１５に登録され（ステップＳ８）、本処理は終了する。なお、フォルダへのアクセスを許可するユーザは、記憶装置１５に認証情報が記憶されているユーザに限られる。
以上で、メディア書き込み処理が終了する。【００４９】
このようにして作成されたメディアは、他の病院や病院Ａ内の他の部門の医師、又は患者によって利用される。【００５０】
次に、図５を参照して、クライアント端末２０により実行される第１の表示動作規制処理を説明する。
図５に示すように、まず、クライアント端末２０において、メディアドライブ２７にメディアがセットされると（ステップＳ２１）、メディアドライブ２７により、メディアから表示動作規制処理プログラムが読み取られ、表示動作規制処理機能が自動的に起動される（ステップＳ２２）。これ以降の処理は、ＣＰＵ２１と、メディアに記憶されている表示動作規制処理プログラムとの協働によるソフトウェア処理によって実行される。【００５１】
次に、クライアント端末２０のシステム時間が取得される（ステップＳ２３）。システム時間とは、ＰＣ等の装置において使われている時間をいい、ＧＭＴ（グリニッジ標準時：Greenwich Mean Time）、ＵＴＣ（協定世界時：Coordinated Universal Time）、ＪＳＴ（日本標準時：Japanese Standard Time）等が用いられる。【００５２】
次に、セットされたメディアに書き込まれている一の医用画像情報のヘッダから検査日が取得され（ステップＳ２４）、検査日からシステム時間までの経過日数が算出される（ステップＳ２５）。ここで、算出された経過日数が表示可能期間を経過している場合には（ステップＳ２６；Ｙｅｓ）、メディアドライブ２７により、当該医用画像情報に対応する読影レポート情報の実データに予め定められたデータ（例えば、ＮＵＬＬや「期限切れです」等の文字データ）が上書きされ、当該読影レポート情報の内容が表示不可となるように破壊されるとともに（ステップＳ２７）、表示不可の読影レポート情報の特定情報（ファイル名等）がＲＡＭ２６に記憶される（ステップＳ２８）。【００５３】
ステップＳ２８の後、又は、ステップＳ２５で算出された経過日数が表示可能期間を経過していない場合には（ステップＳ２６；Ｎｏ）、未チェック画像があるか否かが判断される（ステップＳ２９）。未チェック画像がある場合には（ステップＳ２９；Ｙｅｓ）、ステップＳ２４に戻り、ステップＳ２４〜ステップＳ２９の処理が繰り返される。【００５４】
全ての画像についてチェックが終了した場合には（ステップＳ２９；Ｎｏ）、表示部２３に、表示可能な読影レポート情報、すなわち、表示可能期間を経過していない読影レポート情報については読影レポート情報及び対応する医用画像情報が当該メディアから読み出されて表示され、表示不可能な読影レポート情報、すなわち、表示可能期間を経過した読影レポート情報（ＲＡＭ２６にファイル名が記憶された読影レポート情報）についてはアドレスが表示される（ステップＳ３０）。
以上で、第１の表示動作規制処理が終了する。【００５５】
アドレスが表示され読影レポート情報については、表示されたアドレスを選択することにより、ＣＰＵ２１により、ネットワークＮを介して、当該読影レポート情報が格納されているフォルダ（即ち、患者のフォルダ）にアクセスする処理が実行され、アクセス手段が実現される。
具体的には、クライアント端末２０においてアドレスが選択されると、表示部２３にユーザＩＤ及びパスワードの入力画面が表示される。操作部２２によりユーザＩＤ及びパスワードが入力されると、クライアント端末２０からデータ管理サーバ１０へアドレス情報、メディアＩＤ、ユーザＩＤ及びパスワードが通知される。データ管理サーバ１０では、通知されたメディアＩＤ、ユーザＩＤ及びパスワードにより認証処理が行われ、認証の結果、通知されたアドレスのフォルダへのアクセスが許可されたユーザである場合、アドレス情報に対応するフォルダに関する情報（格納されているファイルのファイル名、ファイル作成日時等）が取得され、クライアント端末２０に送信される。クライアント端末２０においては、表示部２３に受信した情報が表示され、操作部２２により表示対象となる読影レポート情報（例えば、作成日時が最新の読影レポート情報）が選択されると、ネットワークＮを介して、データ管理サーバ１０へ表示対象の読影レポート情報が通知される。データ管理サーバ１０では、表示対象として通知された読影レポート情報及び対応する医用画像情報が記憶装置１５から取得され、クライアント端末２０へ読影レポート情報及び対応する医用画像情報が提供される。クライアント端末２０では、データ管理サーバ１０から提供された読影レポート情報及び対応する医用画像情報に基づいて、表示部２３に読影レポート及び対応する医用画像が表示される。
なお、認証の結果、アクセスが許可されていないユーザである場合、アクセス不可である旨がクライアント端末２０に送信され、クライアント端末２０において表示部２３にその旨が表示される。【００５６】
以上説明したように、医用情報提供システム１００によれば、クライアント端末２０において、検査日から表示可能期間を経過するまでは読影レポート情報を通常に表示可能とし、検査日から表示可能期間を経過した後は、読影レポート情報の表示動作を規制することができる。したがって、表示可能期間を経過した読影レポート情報に基づいて誤った診断を行うことを防止することができる。【００５７】
また、表示可能期間が経過し、メディアに格納されている読影レポート情報が表示不可となった後でも、メディア内に書き込まれたアドレス情報に基づいて、読影レポート情報の保存先にリモートアクセスすることにより、最新の読影レポート情報を表示することができる。このように、データ管理サーバ１０から読影レポート情報を提供することができるため、メディア提供時の古いデータにとらわれることなく、ユーザに最新のデータを提供することができる。【００５８】
［第２の実施の形態］
次に、本発明を適用した第２の実施の形態について説明する。
第２の実施の形態における医用情報提供システムは、第１の実施の形態に示した医用情報提供システム１００と同様の構成によってなるため、同一の構成部分については同一の符号を付し、図示及び説明を省略する。以下、第２の実施の形態に特徴的な構成及び処理について説明する。【００５９】
第１の実施の形態では、表示可能期間の開始の基準となる基準時が検査日である場合について説明したが、第２の実施の形態では、表示可能期間の開始の基準となる基準時が読影レポート情報のメディアへの書き込み日である場合について説明する。【００６０】
データ管理サーバ１０において実行されるメディア書き込み処理については、第１の実施の形態で説明したメディア書き込み処理と同様であるため、説明を省略する。ただし、第２の実施の形態における表示動作規制処理プログラムでは、基準時が読影レポート情報のメディアへの書き込み日に予め設定されている。【００６１】
図６は、クライアント端末２０により実行される第２の表示動作規制処理を示すフローチャートである。
図６に示すように、まず、クライアント端末２０において、メディアドライブ２７にメディアがセットされると（ステップＳ３１）、メディアドライブ２７により、メディアから表示動作規制処理プログラムが読み取られ、表示動作規制処理機能が自動的に起動される（ステップＳ３２）。これ以降の処理は、ＣＰＵ２１と、メディアに記憶されている表示動作規制処理プログラムとの協働によるソフトウェア処理によって実行される。【００６２】
次に、クライアント端末２０のシステム時間が取得される（ステップＳ３３）。【００６３】
次に、セットされたメディアに書き込まれている一の読影レポート情報の付属情報からデータ書き込み日が取得され（ステップＳ３４）、書き込み日からシステム時間までの経過日数が算出される（ステップＳ３５）。ここで、算出された経過日数が表示可能期間を経過している場合には（ステップＳ３６；Ｙｅｓ）、メディアドライブ２７により、当該読影レポート情報の実データに予め定められたデータが上書きされて当該読影レポート情報の内容が表示不可となるように破壊されるとともに（ステップＳ３７）、表示不可の読影レポート情報の特定情報（ファイル名等）がＲＡＭ２６に記憶される（ステップＳ３８）。【００６４】
ステップＳ３８の後、又は、ステップＳ３５で算出された経過日数が表示可能期間を経過していない場合には（ステップＳ３６；Ｎｏ）、未チェックの読影レポート情報があるか否かが判断される（ステップＳ３９）。未チェックの読影レポート情報がある場合には（ステップＳ３９；Ｙｅｓ）、ステップＳ３４に戻り、ステップＳ３４〜ステップＳ３９の処理が繰り返される。【００６５】
全ての読影レポート情報についてチェックが終了した場合には（ステップＳ３９；Ｎｏ）、表示部２３に、表示可能な読影レポート情報、すなわち、表示可能期間を経過していない読影レポート情報については読影レポート情報及び医用画像情報が当該メディアから読み出されて表示され、表示不可能な読影レポート情報、すなわち、表示可能期間を経過した読影レポート情報（ＲＡＭ２６にファイル名が記憶された読影レポート情報）についてはアドレスが表示される（ステップＳ４０）。
以上で、第２の表示動作規制処理が終了する。【００６６】
以上説明したように、第２の実施の形態における医用情報提供システムによれば、クライアント端末２０において、読影レポート情報のメディアへの書き込み日から表示可能期間を経過するまでは読影レポート情報を通常に表示可能とし、書き込み日から表示可能期間を経過した後は、読影レポート情報の表示動作を規制することができる。したがって、表示可能期間を経過した読影レポート情報に基づいて誤った診断を行うことを防止することができる。【００６７】
また、表示可能期間が経過し、メディアに格納されている読影レポート情報が表示不可となった後でも、メディア内に書き込まれたアドレス情報に基づいて、読影レポート情報の保存先にリモートアクセスすることにより、最新の読影レポート情報を表示することができる。【００６８】
［第３の実施の形態］
次に、本発明を適用した第３の実施の形態について説明する。
第３の実施の形態における医用情報提供システムは、第１の実施の形態に示した医用情報提供システム１００と同様の構成によってなるため、同一の構成部分については同一の符号を付し、図示及び説明を省略する。以下、第３の実施の形態に特徴的な構成及び処理について説明する。【００６９】
第３の実施の形態では、読影レポート情報の承認日時を経過した後はメディアに格納されている読影レポート情報の表示動作を規制することとする。【００７０】
データ管理サーバ１０において実行されるメディア書き込み処理については、第１の実施の形態で説明したメディア書き込み処理と同様であるため、説明を省略する。ただし、第３の実施の形態における表示動作規制処理プログラムでは、各読影レポート情報に対して予め設定されている承認日時に基づいてデータの新旧を判断する。【００７１】
図７は、クライアント端末２０により実行される第３の表示動作規制処理を示すフローチャートである。
図７に示すように、まず、クライアント端末２０において、メディアドライブ２７にメディアがセットされると（ステップＳ４１）、メディアドライブ２７により、メディアから表示動作規制処理プログラムが読み取られ、表示動作規制処理機能が自動的に起動される（ステップＳ４２）。これ以降の処理は、ＣＰＵ２１と、メディアに記憶されている表示動作規制処理プログラムとの協働によるソフトウェア処理によって実行される。【００７２】
次に、クライアント端末２０のシステム時間が取得される（ステップＳ４３）。【００７３】
次に、セットされたメディアに書き込まれている一の読影レポート情報の付属情報から承認日時が取得され（ステップＳ４４）、承認日時からシステム時間までの経過時間が算出される（ステップＳ４５）。ここで、算出された経過時間が表示可能期間を経過している場合には（ステップＳ４６；Ｙｅｓ）、メディアドライブ２７により、当該読影レポート情報の実データに予め定められたデータが上書きされて当該読影レポート情報の内容が表示不可となるように破壊されるとともに（ステップＳ４７）、表示不可の読影レポート情報の特定情報（ファイル名等）がＲＡＭ２６に記憶される（ステップＳ４８）。【００７４】
ステップＳ４８の後、又は、ステップＳ４５で算出された経過時間が表示可能期間を経過していない場合には（ステップ４６；Ｎｏ）、未チェックの読影レポート情報があるか否かが判断される（ステップＳ４９）。未チェックの読影レポート情報がある場合には（ステップＳ４９；Ｙｅｓ）、ステップＳ４４に戻り、ステップＳ４４〜ステップＳ４９の処理が繰り返される。【００７５】
全ての読影レポート情報についてチェックが終了した場合には（ステップＳ４９；Ｎｏ）、表示部２３に、表示可能な読影レポート情報、すなわち、表示可能期間を経過していない読影レポート情報については読影レポート情報及び医用画像情報が当該メディアから読み出されて表示され、表示不可能な読影レポート情報、すなわち、表示可能期間を経過した読影レポート情報についてはアドレスが表示される（ステップＳ５０）。
以上で、第３の表示動作規制処理が終了する。【００７６】
以上説明したように、第３の実施の形態における医用情報提供システムによれば、クライアント端末２０において、読影レポート情報の承認日時から表示可能期間が経過するまではその読影レポート情報を通常に表示可能とし、承認日時から表示可能期間が経過した後は、読影レポート情報の表示動作を規制することができる。したがって、表示可能期間を経過した読影レポート情報に基づいて誤った診断を行うことを防止することができる。【００７７】
また、表示可能期間が経過し、メディアに格納されている読影レポート情報が表示不可となった後でも、メディア内に書き込まれたアドレス情報に基づいて、読影レポート情報の保存先にリモートアクセスすることにより、最新の読影レポート情報を表示することができる。【００７８】
なお、上記各実施の形態における記述は、本発明に係る医用情報提供システムの例であり、これに限定されるものではない。システムを構成する各装置の細部構成及び細部動作に関しても本発明の趣旨を逸脱することのない範囲で適宜変更可能である。【００７９】
例えば、上記各実施の形態では、読影レポート情報に対して予め定められたデータを上書きし、医用画像情報を破壊することによって、読影レポート情報の表示動作を規制する場合について説明したが、読影レポート情報を削除したり、読影レポート情報の表示動作を許可するか否かを示すフラグを変更したりする等、他の方法を用いることとしてもよい。【００８０】
また、予め定められた基準時からの表示可能期間は、メディア書き込み処理時にユーザが操作部１２を介して選択した読影レポート情報毎に設定するようにしてもよい。このようにすれば、読影レポート情報毎に異なる表示可能期間を設定することが可能となる。【００８１】
また、上記各実施の形態では、クライアント端末２０において、表示可能な読影レポート情報のみを表示し、その他の読影レポート情報については保存先のアドレスを表示することとしたが、表示可能な読影レポート情報についても、アドレス情報に基づく読影レポート情報の保存先へのアクセスを実行可能としてもよい。【００８２】
また、記録メディアに書き込まれた読影レポート情報が表示可能期間を経過している場合、その読影レポート情報とともに、対応する医用画像情報についても表示不可となるようにデータを破壊するようにしてもよい。この場合、医用画像情報に追加書き込みを行うことで、画像データ破壊することができる。【００８３】
その他、医用情報提供システム１００を構成する各装置の細部構成及び細部動作に関しても、本発明の趣旨を逸脱することのない範囲で適宜変更可能である。【００８４】
なお、明細書、請求の範囲、図面及び要約を含む２００７年８月７日に出願された日本特許出願Ｎｏ．２００７−２０５５８２号の全ての開示は、そのまま本出願の一部に組み込まれる。
【産業上の利用可能性】
【００８５】
記録メディアを用いて読影レポートの移送を行う医療の分野において利用可能性がある。
【符号の説明】
【００８６】
１０  データ管理サーバ
１１  ＣＰＵ
１２  操作部
１３  表示部
１４  通信部
１５  記憶装置
１６  ＲＯＭ
１７  ＲＡＭ
１８  メディア書き込み部
１９  バス
２０  クライアント端末
２１  ＣＰＵ
２２  操作部
２３  表示部
２４  通信部
２５  ＲＯＭ
２６  ＲＡＭ
２７  メディアドライブ
２８  バス
１００  医用情報提供システム
Ｎ  ネットワーク
【図１】
2009020057.tif 000003
【図２】
2009020057.tif 000004
【図３】
2009020057.tif 000005
【図４】
2009020057.tif 000006
【図５】
2009020057.tif 000007
【図６】
2009020057.tif 000008
【図７】
2009020057.tif 000009
【国際調査報告】
2009020057.tif 000010
2009020057.tif 000011